(57)【要約】【課題】 内管漏洩の誤判定を抑制できるガス遮断装置を提供することを目的とする。【解決手段】 流量検出部１、流量算出部２、異常流量判定部３、弁駆動部４、弁５、小流量判定部６、期間判定部７、区間平均流量保持部８、１日平均流量判定部９、外部報知部１０と、を備える。これらの構成により、呼吸動作の影響が濃い当該区間平均流量を除いた１日平均流量を用いて判定することで、より正確にガス漏れの有無を検出することが可能となる。【選択図】  図１
2015225004.tif 000002
【特許請求の範囲】
【請求項１】
ガス通路内を通過するガス流量を検出する検出部と、
単位期間ごとのガス流量の平均流量値を記憶する保持部と、
前記保持部で記憶された所定期間分の複数の平均流量値のうち、値の大きいものから順に１つあるいは複数の値を除き（以降、大判定）若しくは値の小さいものから順に１つあるいは複数の値を除き（以降、小判定）又は大判定と小判定を両方実施した後の複数の平均流量値の平均値が所定値以下ならばタイマをクリアし、タイマが内管漏洩判定期間に達すると内管漏洩であると判断する判定部と、
を有するガス遮断装置。
【請求項２】
前記大判定または小判定は、呼吸動作に基づくことを特徴とする請求項１記載のガス遮断装置。
【請求項３】
ガス通路内を通過するガス流量を検出する検出部と、
単位期間ごとのガス流量の平均流量値を記憶する保持部と、
前記保持部で記憶された所定期間分の複数の平均流量値のうち、値の大きいものから順に１つあるいは複数の値を除き（以降、大判定）、かつ値の小さいものから順に１つあるいは複数の値を除き（以降、小判定）、その後さらに大判定もしくは小判定を実施した後の複数の平均流量値の平均値が所定値以下ならばタイマをクリアし、タイマが内管漏洩判定期間に達すると内管漏洩であると判断する判定部と、
を有するガス遮断装置。
【発明の詳細な説明】
【技術分野】
【０００１】
本発明は、内管漏洩の有無を検出するガス遮断装置に関するものである。
【背景技術】
【０００２】
従来、ガス遮断装置とその下流側にある家庭内ガス器具の間のガス通路において、所定の値以上の大量のガスが流れるとガス遮断装置よりも下流側でガス管が破損したと判断し、緊急にガス通路を遮断したり、あるいは地震の発生を検出した場合やガス漏れ警報器からの信号を検出した場合等々においてもガスの供給を停止し二次災害を防止するためにガス通路を遮断することがガス遮断装置において行われている。
【０００３】
一例として、区間演算手段により区間平均流量の判定回数分の平均を判定することにより、脈動下であっても安定して流量なしを判定することができ、ガスエンジン・ヒートポンプ・エアコン等の使用による脈動が発生しているような環境下であっても、実際には漏洩していないにも関わらず内管漏洩警告が発生するという誤判定を防止するガス遮断装置が開示されている（例えば、特許文献１）。
【先行技術文献】
【特許文献】
【０００４】
【特許文献１】特開２０１０−２１６７２４号公報
【発明の概要】
【発明が解決しようとする課題】
【０００５】
しかしながら、前記従来の特許文献１によるガス遮断装置（とガスメータ）では、ガス配管にガスの漏洩がなく、ユーザがガスを未使用の状態であっても、ガス配管容量（ガス遮断装置よりの下流側のガス通路の容量）の大きい場合においては、温度変化（太陽光等で配管自体が熱せられることで配管内の温度が上昇・低下する）等による影響で、長時間にかけてガスの流れ（以下、呼吸動作と記述）が発生している。そしてこの呼吸動作のために、内管漏洩警告が発生する可能性があるという課題があった。特に業務用等は家庭用とくらべ大容量の配管容量となるため、この課題が顕著となる。
【０００６】
なお、呼吸動作には、
（１）配管が熱せられることで配管内のガスの温度が上昇して膨張することによる逆流量（ガス器具側からガス遮断装置側への流れ）と、
（２）ガスの温度が低下して収縮することによる正流量（ガス遮断装置側からガス器具側への流れ）
の流れがあり、１日等（昼夜による温度差等）のスパンで発生する。
【０００７】
本発明は、前記従来の課題を解決するもので、内管漏洩の誤判定を抑制できるガス遮断装置を提供することを目的とする。
【課題を解決するための手段】
【０００８】
前記従来の課題を解決するために、本発明のガス遮断装置は、ガス通路内を通過するガス流量に対応して定期的に流量信号から流量を算出し、第２の所定期間毎の平均流量を求めて第２の所定流量値以下ならば平均流量から区間平均流量を算出する。１日を任意の第１の所定期間に区切り、第１の所定期間が経過すれば区間平均流量を当該区間平均流量として保存し、次の第１の所定期間に移行する。さらに１日を任意の第１の所定期間に区切った全ての所定期間が経過すると１日経過信号を出力する。１日経過信号が発生すると１
日分の全ての当該区間平均流量を昇順に並べ、大きいものから順に１つあるいは複数の当該区間平均流量を除き（以降、大判定と呼ぶ場合がある）、また小さいものから順に１つあるいは複数の当該区間平均流量を除く（以降、小判定と呼ぶ場合がある）。そして、少なくとも大小判定のどちらか片方あるいは両方を用いて除いた当該区間平均流量から１日平均流量を求め第１の所定流量値以下ならば内管漏洩判定期間のタイマをクリアし、第１の所定流量値超となり内管漏洩判定期間が経過すると内管漏洩信号して外部に警報報知する。
【０００９】
これによれば、呼吸動作の影響が濃い当該区間平均流量を除いた１日平均流量を用いて判定することで、より正確にガス漏れの有無を検出することが可能となり、本来ガス漏れ時のみ発生する内管漏洩警報であったものを、正流側と逆流側のガスの流れが発生したために内管漏洩が発生したと判定してしまう誤警報を防止できるようになる。
【発明の効果】
【００１０】
本発明のガス遮断装置を用いることにより、実際には漏洩していないにも関わらず呼吸動作が発生している場合、内管漏洩警告が発生する可能性を低減することが可能となる。
【図面の簡単な説明】
【００１１】
【図１】本発明の実施の形態１におけるガス遮断装置の機能ブロック図
【図２】本発明の実施の形態１における超音波流量計測手段の概略構成図
【図３】本発明の実施の形態１におけるガス流量の変化を示す特性図
【図４】本発明の実施の形態１における平均流量算出の概略構成図
【図５】呼吸動作の影響を考慮していない場合の図
【図６】呼吸動作の影響を考慮した場合の図
【図７】本発明の実施の形態１におけるプログラムフロー図
【発明を実施するための形態】
【００１２】
以下、本発明の実施形態について、図面を参照しながら説明する。なお、この実施の形態によって本発明が限定されるものではない。
（実施の形態１）
図１は、本発明の実施の形態１におけるガス遮断装置の機能ブロック図を示すものである。
【００１３】
図１において、実施の形態１のガス遮断装置は  流量検出部１、流量算出部２、異常流量判定部３、弁駆動部４、弁５、小流量判定部６、期間判定部７、区間平均流量保持部８、１日平均流量判定部９、外部報知部１０とから構成され、以下にその役割を記載する。
【００１４】
流量検出部１は、ガス通路内を通過するガス流量に対応して定期的（例えば、１秒毎でも良いし、１分毎でもよい）に「流量信号Ａ」を出力する。流量信号Ａの具体例としては、例えば、図２に示す様にガス通路内３０に対向した超音波センサ３１と３２を取り付け超音波の伝播時間の違いから、ガス流量（図３に示すような計測結果）を検知したものがある。
【００１５】
流量算出部２は、流量検出部１の「流量信号Ａ」に基づいて「流量Ｂ」を算出する。例えば、予め保持している流量信号Ａに対する重み付けを持たせた係数を「流量信号Ａ」に掛けて「流量Ｂ」を算出してもよい。単独の「流量信号Ａ」から「流量Ｂ」を求めても良いし、複数の「流量信号Ａ」から平均した「流量Ｂ」を求めてもよい。
【００１６】
異常流量判定部３は、流量算出部２の「流量Ｂ」を受け取ると予め保持している判定値（例えば、ガス遮断装置が許容している最大通過ガス流量でもよいし、少量のガス流量が
継続して流れ続けて許容時間を超えた場合でもよい）と比較し異常であれば「弁閉信号Ｃ」を出力する。
【００１７】
弁駆動部４は、異常流量判定部３の「弁閉信号Ｃ」を受け取ると「弁駆動信号Ｄ」を出力する。弁５は、弁駆動部４の「弁駆動信号Ｄ」を受け取るとガス通路を閉栓する。
【００１８】
小流量判定部６は、流量算出部２の「流量Ｂ」を受け取ると「第２の所定期間（図４の第２の所定期間参照）」毎（例えば、図４において１分毎や５分毎でも良い）の「平均流量」を求めて「第２の所定流量値」以下か否かを判定する。第２の所定流量値は０Ｌ／ｈの流量を選別するための値で、少なくとも正流量、逆流量の片方の流量あるいは両方の流量を選別してもよい。例えば、±７Ｌ／ｈや＋１５Ｌ／ｈ等でも良い。
【００１９】
そして、「第２の所定流量値」以下ならば「平均流量」から「区間平均流量Ｅ」を算出する。なお、平均流量については、例えば、図３に示すように「流量Ｂ」はばらつく傾向があるため期間内の平均を取っているが、移動平均等を取っても同等の効果が得られる。なお、図３の所定時間ｔ１等は「第２の所定期間」を表し、Ｑｔは「平均流量」を表す。また、「流量Ｂ」を受け取る都度「平均流量」を求めなくても、「平均流量」を保存し「第２の所定期間」終了時に一括して「第２の所定流量値」以下のものを抽出して「平均流量」を求めても同等の効果が得られる。
【００２０】
区間平均流量Ｅについては、例えば、下記の「第１の所定期間」を２４期間とした場合の１期間分は１時間となり、「第２の所定期間」を５分間とすると最大１２回分の「平均流量」から「区間平均流量Ｅ」を求めることとなる。
【００２１】
期間判定部７は、１日を任意の「第１の所定期間」に区切る。なお、「第１の所定期間」例えば、図４において２４期間や４８期間等でも良い。ただし、以降で説明するように、選別を実施するため、極端に小さな区切数に設定することは望ましくない。
【００２２】
そして、「第１の所定期間」が経過（例えば、２４期間ならば１時間となる）すれば小流量判定部６から「区間平均流量Ｅ（図４の区間平均流量参照）」を取得して「当該区間平均流量Ｆ（図４の当該区間平均流量参照）」として出力し、次の「第１の所定期間（例えば、２４期間ならば０時〜１時の１時間後の１時〜２時となる）」に移行する。さらに１日を任意の「第１の所定期間」に区切った全ての「第１の所定期間（すなわち、２４期間が全て揃ったので２４時間＝１日となる）」が経過すると「１日経過信号Ｇ」を出力する。
【００２３】
区間平均流量保持部８は、期間判定部７の「当該区間平均流量Ｆ」を受け取ると１日を任意の「第１の所定期間」に区切った「当該区間平均流量Ｆ」毎（例えば、２４期間の０時〜１時ならば０時〜１時の保持エリアに保持し、以降１時〜２時と順次保持エリアに保持していく）に保持（図４の当該区間平均流量参照）する。
【００２４】
１日平均流量判定部９は、期間判定部７の「１日経過信号Ｇ」を受け取ると区間平均流量保持部８が保持している１日分の「全ての当該区間平均流量Ｈ」（例えば、２４期間ならば０時〜１時、１時〜２時、・・・２３時〜０時）を取得して昇順に並べる。なお、降順でも同等の効果が得られる。また「当該区間平均流量Ｆ」が同じ値であった場合は時系列に並べても時間的な意味を無視して並べても同じ効果が得られる。
【００２５】
そして、「当該区間平均流量Ｆ」の大きいものから順に１つあるいは複数の「当該区間平均流量Ｆ」を除く。例えば、大きなものから３つ削除する場合において、「当該区間平均流量Ｆ」が３．０Ｌ/ｈ、２．５ Ｌ/ｈ、２．０Ｌ/ｈ、２．０Ｌ/ｈ、１．５ Ｌ/ｈ・
・・と並んでいた場合、３．０ Ｌ/ｈ、２．５ Ｌ/ｈ、２．０Ｌ/ｈの３を削除対象としても良いし、同位を含めた３．０ Ｌ/ｈ、２．５ Ｌ/ｈ、２．０Ｌ/ｈ、２．０ Ｌ/ｈの４つを削除対象としても良い。
【００２６】
そして、「当該区間平均流量Ｆ」の小さいものから順に１つあるいは複数の「当該区間平均流量Ｆ」を除く。例えば、小さなものから３つ削除する場合において、「当該区間平均流量Ｆ」が-１．５ Ｌ/ｈ、-２．０Ｌ/ｈ、-２．０Ｌ/ｈ、-２．５ Ｌ/ｈ 、-３．０Ｌ/ｈ・・・と並んでいた場合、-２．０Ｌ/ｈ、-２．５ Ｌ/ｈ 、-３．０Ｌ/ｈの３を削除対象としても良いし、同位を含めた-２．０Ｌ/ｈ、-２．０Ｌ/ｈ、-２．５ Ｌ/ｈ 、-３．０Ｌ/ｈの４つを削除対象としても良い。
【００２７】
以上のように、少なくとも大小判定のどちらか片方あるいは両方を用いて除いた「当該区間平均流量Ｆ（図４の「当該区間平均流量選別」参照）」から「１日平均流量（図４の１日平均流量参照）」を求めて、「１日平均流量」が「第１の所定流量値」以下（例えば、ガス漏れとみなすために１．５Ｌ／ｈでも良いし、５Ｌ／ｈでも良い）ならば内管漏洩判定期間のタイマ（例えば、１５日や３０日間を監視しているタイマ）をクリアし、１日平均流量が「第１の所定流量値」超となり内管漏洩判定期間（例えば、１５日や３０日間）が経過すると「内管漏洩信号Ｉ」を出力する。
【００２８】
なお、呼吸のみを対策とするならば大小両方判定が望ましいが、他にガス流量に影響を与える要因があるならば、一旦、大小両方判定後にさらに残った「当該区間平均流量Ｆ」に対して大小判定のどちらか片方の判定を実施することで他の影響を排除できる手段となりうるので、組み合わせて判定を実施しても良い。他にガス流量に影響を与える要因として、例えば、経年変化等による誤差が挙げられる。
【００２９】
外部報知部１０は、１日平均流量判定部９の「内管漏洩信号Ｉ」を受け取ると外部に警報報知（例えば、ＬＥＤやＬＣＤ等の表示や、ブザーやベル等の音や、有線や無線によりガスユーザのガス使用状態を監視しているセンタへの通報や、ガスユーザの携帯電話やテレビ等の集中監視している家庭内システム等を用いて報知しても良い）する。
【００３０】
以上のように、本実施の形態においては、ガス遮断装置よりも下流側流路の配管容量（図中にはない）が大きい場合においては温度変化等により、ユーザがガスを使っていなくても呼吸動作が発生する場合があるが、１日平均流量判定部９で呼吸動作の影響が濃い「当該区間平均流量Ｆ」を除いた「１日平均流量」を用いて判定することとなる。
【００３１】
すなわち、図５（プラス側のみの例であるが、現実にはプラスマイナスが含まれている場合もある）は「全ての当該区間平均流量Ｈ」から呼吸動作の影響が濃い「当該区間平均流量Ｆ」を除いていない場合の例で、「１日平均流量（１．５５４Ｌ／ｈ）」が「第１の所定流量値（１．５００Ｌ／ｈ）」を超えているために内管漏洩判定期間のタイマをクリアすることができない。
【００３２】
一方、図６（プラス側のみの例であるが、現実にはプラスマイナスが含まれている場合もある）は「全ての当該区間平均流量Ｈ」から大小両方判定で各３個づつ呼吸動作の影響が濃い「当該区間平均流量Ｆ」を除いた場合で、「１日平均流量（１．４６１Ｌ／ｈ）」が「第１の所定流量値（１．５００Ｌ／ｈ）」以下となるために内管漏洩判定期間のタイマをクリアすることでき、より正確にガス漏れの有無を検出することが可能となる。
【００３３】
以上より本来ガス漏れ時のみ発生する内管漏洩警報であったものを、呼吸動作によりガスの流れが発生したために内管漏洩が発生したと判定してしまう誤警報を防止することができるようになる。
【００３４】
図７に実施の形態１のプログラムフロー図を処理Ｓ０１から処理Ｓ１７にて示す。今、処理開始から処理終了までのフローはインターバルカレンダ等により周期的に処理されるものとする。またプログラム起動時には内管漏洩判定期間カウンタは０に、第１の所定期間（２４期間）、第２の所定期間（５分間）、第１の所定流量値（１．５Ｌ／ｈ）、第２の所定流量値（７Ｌ／ｈ）は予め初期値として設定（図５、図６参照）されており、ガス遮断装置に対してガス従事者が使用しているセンタから通信等により設定変更も可能なものとする。なお、異常流量判定部３、弁駆動部４、弁５の処理の記載は省略する。
【００３５】
期間判定部７において、処理Ｓ０１（各ブロック図の左上の数字）は、「第１の所定期間（上記初期値より２４期間に区切ることにより１期間は１時間となる。図４の第１の所定期間参照）」が経過したか否かを判定し、１時間が経過していなければ処理Ｓ０２へ移行し、１時間が経過すれば処理Ｓ０８へ移行する。
【００３６】
流量検出部１と流量算出部２において、処理Ｓ０２は定期的（例えば、１秒毎でも良いし、１分毎でもよい）に「流量信号Ａ」を検出し、「流量信号Ａ」に基づき「流量Ｂ（例えば、予め保持している「流量信号Ａ」に対する重み付けを持たせた係数を「流量信号Ａ」に掛けて「流量Ｂ」を算出してもよい。単独の「流量信号Ａ」から「流量Ｂ」を求めても良いし、複数の「流量信号Ａ」から平均した「流量Ｂ」を求めてもよい。なお「流量Ｂ」はプラス側やマイナス側の流量が存在する。）を算出して処理Ｓ０３へ移行する。
【００３７】
小流量判定部６において、処理Ｓ０３は「流量Ｂ」から「平均流量（例えば、図３に示すように「流量Ｂ」はばらつく傾向があるため期間内の平均を取っているが、移動平均等を取っても同等の効果が得られる。なお、図３の所定時間ｔ１等は「第２の所定期間」を表し、Ｑｔは「平均流量」を表す。また、「平均流量」を求めなくても、「平均流量」を保存し「第２の所定期間」終了時に一括して「第２の所定流量値」以下のものを抽出して「平均流量」を求めても同等の効果が得られる）を算出し処理Ｓ０４へ移行する。
【００３８】
小流量判定部６において、処理Ｓ０４は「第２の所定期間（上記初期値より５分間。図４の第２の所定期間参照）」が経過したか否かを判定し、５分間が経過していなければ処理Ｓ０１へ移行し、５分間が経過すれば処理Ｓ０５へ移行する。
【００３９】
小流量判定部６において、処理Ｓ０５は「平均流量」が「第２の所定流量値（上記初期値より７Ｌ／ｈ）」以下ならば処理Ｓ０６へ移行し、「第２の所定流量値」超ならば処理Ｓ０７へ移行する。
【００４０】
小流量判定部６において、処理Ｓ０６は「平均流量」から「区間平均流量Ｅ（図４の区間平均流量参照）」を算出（上記初期値より、「区間平均流量Ｅ」がありえない数値《上記初期値より、７Ｌ／ｈ超》であれば「区間平均流量Ｅ」をクリアする。「区間平均流量Ｅ」は１時間÷５分なので最大１２回分の「平均流量」から「区間平均流量Ｅ」を算出することになる）して処理Ｓ０７へ移行する。
【００４１】
小流量判定部６において、処理Ｓ０７は「平均流量」をクリア（ここで言うクリアは一般的なゼロクリアを意味する）して処理Ｓ０１へ移行する。
【００４２】
期間判定部７において処理Ｓ０８は「区間平均流量Ｅ」を「当該区間平均流量Ｆ（上記初期値では１２回の「第２の所定流量値」判定を行い。一度でも「第２の所定流量値」以下であれば「平均流量」から「区間平均流量Ｅ」が算出されるが、一度も「第２の所定流量値」以下にならなければありえない数値《例えば７Ｌ／ｈ超》のままとなる。図４の当該区間平均流量参照）」に置き換える。
【００４３】
さらに区間平均流量保持部８は「当該区間平均流量Ｆ」を保持エリア（上記初期値より、保持エリアは２４期間分の２４カ所となり、例えば、「当該区間平均流量Ｆ」が０時〜１時の値ならば保持エリアの０時〜１時の保持する）に保持し処理Ｓ０９へ移行する。
【００４４】
期間判定部７において処理Ｓ０９は１日分（上記初期値より、２４期間）の「第１の所定期間」が経過したか否かを判定し、１日分の「第１の所定期間」が経過していれば「１日経過信号Ｇ」を出力し処理Ｓ１０へ移行し、１日分の「第１の所定期間」が経過していなければ処理Ｓ１４へ移行する。
【００４５】
１日平均流量判定部９において処理Ｓ１０は「１日経過信号Ｇ」を受け取ると、区間平均流量保持部８の保持している「全ての当該区間平均流量Ｈ」を保持エリア（上記初期値より、保持エリアは２４期間分の２４カ所）から取得し、取得した「全ての当該区間平均流量Ｈ」から「当該区間平均流量Ｆ」に分解（上記初期値より、２４期間分）して昇順に並べる。なお、降順でも同等の効果が得られる。また「当該区間平均流量Ｆ」が同じ値であった場合は時系列に並べても時間的な意味を無視して並べても同じ効果が得られる。その後、全てのありえない値（例えば７Ｌ／ｈ超）の「当該区間平均流量Ｆ」を削除する。
【００４６】
ありえない値（ありえない値を除いた結果「当該区間平均流量Ｆ」の期間数が極端に少なくなった場合でも下記の大小判定のどちらか片方あるいは両方を実施しても良いし、その１日は判定を実施しなくても良い）を除いた「当該区間平均流量Ｆ（上記初期値より、最大２４期間分）」を大きいものから順に１つあるいは複数の「当該区間平均流量Ｆ」を除く。例えば、大きなものから３つ削除する場合において、「当該区間平均流量Ｆ」が３．０Ｌ/ｈ、２．５ Ｌ/ｈ、２．０Ｌ/ｈ、２．０Ｌ/ｈ、１．５ Ｌ/ｈ・・・と並んでいた場合、３．０ Ｌ/ｈ、２．５ Ｌ/ｈ、２．０Ｌ/ｈの３を削除対象としても良いし、同位を含めた３．０ Ｌ/ｈ、２．５ Ｌ/ｈ、２．０Ｌ/ｈ、２．０ Ｌ/ｈの４つを削除対象としても良い。
【００４７】
そして、「当該区間平均流量Ｆ」の小さいものから順に１つあるいは複数の「当該区間平均流量Ｆ」を除く。例えば、小さなものから３つ削除する場合において、「当該区間平均流量Ｆ」が-１．５ Ｌ/ｈ、-２．０Ｌ/ｈ、-２．０Ｌ/ｈ、-２．５ Ｌ/ｈ 、-３．０Ｌ/ｈ・・・と並んでいた場合、-２．０Ｌ/ｈ、-２．５ Ｌ/ｈ 、-３．０Ｌ/ｈの３を削除対象としても良いし、同位を含めた-２．０Ｌ/ｈ、-２．０Ｌ/ｈ、-２．５ Ｌ/ｈ 、-３．０Ｌ/ｈの４つを削除対象としても良い。
【００４８】
以上のように、少なくとも大小判定のどちらか片方あるいは大小両方判定を用いて除いた「当該区間平均流量Ｆ（図４の「当該区間平均流量選別」参照）」から「１日平均流量（図４の１日平均流量参照）」を求めて処理Ｓ１１へ移行する。なお、呼吸のみを対策とするならば大小両方判定が望ましいが、他にガス流量に影響を与える要因があるならば、一旦、大小両方判定後にさらに残った「当該区間平均流量Ｆ」に対して大小判定のどちらか片方の判定を実施することで他の影響を排除できる手段となりうるので、組み合わせて判定を実施しても良い。
【００４９】
１日平均流量判定部９において処理Ｓ１１は「１日平均流量」が「第１の所定流量値」以下（上記初期値より、１．５Ｌ／ｈ）ならば内管漏洩判定期間のタイマ（例えば、１５日や３０日間を監視しているタイマ）をクリアし処理Ｓ１６へ移行し、「１日平均流量」が「第１の所定流量値」超ならば処理Ｓ１２へ移行する。
【００５０】
１日平均流量判定部９において処理Ｓ１２は「１日平均流量」が「第１の所定流量値」超となり内管漏洩判定期間（例えば、１５日や３０日間）が経過すると「内管漏洩信号Ｉ
」を出力し処理Ｓ１３へ移行し、内管漏洩判定期間に達していなければ処理Ｓ０１へ移行する。
【００５１】
外部報知部１０において処理Ｓ１３は「内管漏洩信号Ｉ」を受け取ると外部に警報報知（例えば、ＬＥＤやＬＣＤ等の表示や、ブザーやベル等の音や、有線や無線によりガスユーザのガス使用状態を監視しているセンタへの通報や、ガスユーザの携帯電話やテレビ等の集中監視している家庭内システム等を用いて報知しても良い）し処理を終了する。
【００５２】
期間判定部７おいて処理Ｓ１４は次の「第１の所定期間（上記初期値より、２４期間ならば０時〜１時の１時間後の１時〜２時となる）」設定し処理Ｓ１５へ移行する。
【００５３】
期間判定部７おいて処理Ｓ１５は「区間平均流量Ｅ」を初期化（ここで言う初期化とは一般的なゼロクリアではなく、ありえない値《例えば、７Ｌ／ｈ超》に設定することを意味する）し処理Ｓ０１へ移行する。
【００５４】
１日平均流量判定部９において処理Ｓ１６は区間平均流量保持部８で保持している１日分の「当該区間平均流量Ｆ」を全てクリアして処理Ｓ１７へ移行する。
【００５５】
１日平均流量判定部９において処理Ｓ１７は内管漏洩判定期間のタイマをクリア（ここで言うクリアとは一般的なゼロクリアを意味する）し処理Ｓ０１へ移行する。
【００５６】
実施の形態１おいて、ガス遮断装置よりも下流側流路の配管容量（図中にはない）が大きい場合においては温度変化等により、ユーザがガスを使っていなくても呼吸動作が発生する場合があるが、１日平均流量判定部９が呼吸動作の影響が濃い「当該区間平均流量Ｆ」を除いた「１日平均流量」を用いて判定することができる。
【００５７】
この結果、安全性を担保した上で、ガス供給者側とユーザ側の両方において利便性を向上させることができる。
【産業上の利用可能性】
【００５８】
以上のように、本発明にかかるガス遮断装置は、脈動や呼吸動作が発生しているような環境下であっても内管漏洩を判定できることから、水や気体の洩れを検出する方式にも適用できる。
【符号の説明】
【００５９】
１  流量検出部
２  流量算出部
３  異常流量判定部
４  弁駆動部
５  弁
６  小流量判定部
７  期間判定部
８  区間平均流量保持部
９  １日平均流量判定部
１０  外部報知部
【図１】
2015225004.tif 000003
【図２】
2015225004.tif 000004
【図３】
2015225004.tif 000005
【図４】
2015225004.tif 000006
【図５】
2015225004.tif 000007
【図６】
2015225004.tif 000008
【図７】
2015225004.tif 000009